(57)【要約】  【課題】使用態様の自由度を損ねることのないノートを提供する。  【解決手段】複数枚の用紙４を重ね合わせてなり複数の綴じ元候補箇所５、６を有したノート本体２と、このノート本体２の綴じ元候補箇所５、６のいずれか一つを選択的に綴じる綴じ要素３とを具備してなることを特徴とする。【選択図】図１
2013078906.tif 000002
【特許請求の範囲】
【請求項１】
複数枚の用紙を重ね合わせてなり複数の綴じ元候補箇所を有したノート本体と、このノート本体の綴じ元候補箇所のいずれか一つを選択的に綴じる綴じ要素とを具備してなることを特徴とするノート。
【請求項２】
用紙が、表紙及びその表紙の内側に配される中紙である請求項１記載のノート。
【請求項３】
ノート本体が、長方形状のものであり、前記用紙が、第一の綴じ元候補箇所を形成するための長辺に沿った折り曲げ線と、第二の綴じ元候補箇所を形成するための短辺に沿った折り曲げ線とを備えたものであり、前記綴じ要素が、前記第一の綴じ元候補箇所または第二の綴じ元候補箇所を綴じるものである請求項１または２記載のノート。
【請求項４】
綴じ要素が、前記第一の綴じ元候補箇所の両端部に形成された対をなす第一の掛け止め部と、前記第二の綴じ元候補箇所の両端部に形成された対をなす第二の掛け止め部と、前記第一の掛け止め部間または第二の掛け止め部間に架け渡される弾性帯とを備えたものである請求項３記載のノート。
【請求項５】
前記第一の掛け止め部の一方と前記第二の掛け止め部の一方とが共通の貫通穴により構成されており、この貫通穴に環状をなす前記弾性帯が常時保持されている請求項４記載のノート。
【請求項６】
用紙が、複数枚の中紙を含むものであり、各中紙に長辺及び短辺に平行な罫線が格子状をなすように施されている請求項３、４または５記載のノート。
【発明の詳細な説明】
【技術分野】
【０００１】
本発明は、見開いた状態で使用するノートに関する。
【背景技術】
【０００２】
従来、この種のノートとして、複数枚の用紙を重ね合わせてなり左側端部に綴じ元を有したノートが知られている（例えば、特許文献１を参照）。
【０００３】
このようなノートは、綴じ元を基端とする横開きのみが可能であるため、描きたいものや描きたいシーンに合わせてノートの開き方を変えたいという要望があってもそれに応えることができないという問題があった。
【０００４】
上端部に綴じ元を有したノートも存在するが、事情は横開きのものと同様であり、使用態様の自由度に欠けるという不具合があった。
【先行技術文献】
【特許文献】
【０００５】
【特許文献１】特開２０００−１４１９７３号公報
【発明の概要】
【発明が解決しようとする課題】
【０００６】
本発明は、使用態様の自由度を損ねることのないノートを提供することを目的としている。
【課題を解決するための手段】
【０００７】
本発明は、以上のような課題を解決するために、次のような構成を採用したものである。すなわち、本発明に係るノートは、複数枚の用紙を重ね合わせてなり複数の綴じ元候補箇所を有したノート本体と、このノート本体の綴じ元候補箇所のいずれか一つを選択的に綴じる綴じ要素とを具備してなることを特徴とする。
【０００８】
ここで、「用紙」とは、シート状になっているものであれば、どのようなものであってもよく、紙製のものの他、プラスチック製や金属製のものも含まれる。
【０００９】
このようなものであれば、綴じ要素の綴じ箇所を複数の綴じ元候補箇所から選択することができるので、描きたいものや描きたいシーンに合わせてノートの開き方を変えることが可能である。したがって、使用態様の自由度を損ねることのないノートを提供することができる。
【００１０】
用紙の具体的な一例としては、表紙及びその表紙の内側に配される中紙が挙げられる。
【００１１】
ノート本体が、長方形状のものであり、前記用紙が、第一の綴じ元候補箇所を形成するための長辺に沿った折り曲げ線と、第二の綴じ元候補箇所を形成するための短辺に沿った折り曲げ線とを備えたものであり、前記綴じ要素が、前記第一の綴じ元候補箇所または第二の綴じ元候補箇所を綴じるものが好適な一態様として挙げられる。
【００１２】
綴じ要素は、前記第一の綴じ元候補箇所の両端部に形成された対をなす第一の掛け止め部と、前記第二の綴じ元候補箇所の両端部に形成された対をなす第二の掛け止め部と、前記第一の掛け止め部間または第二の掛け止め部間に架け渡される弾性帯とを備えたものが好ましい。
【００１３】
前記第一の掛け止め部の一方と前記第二の掛け止め部の一方とが共通の貫通穴により構成されており、この貫通穴に環状をなす前記弾性帯が常時保持されているものが好適な一態様として挙げられる。
【００１４】
用紙が、複数枚の中紙を含むものであり、各中紙に長辺及び短辺に平行な罫線が格子状をなすように施されているものが好ましい。
【発明の効果】
【００１５】
以上説明したように本発明によれば、使用態様の自由度を損ねることのないノートを提供することができる。
【図面の簡単な説明】
【００１６】
【図１】本発明の一実施形態を示すノートの平面図。
【図２】同実施形態のノートの一使用態様を示す斜視図。
【図３】同実施形態のノートの一使用態様を示す斜視図。
【図４】同実施形態のノートの他の使用態様を示す斜視図。
【図５】同実施形態のノートの他の使用態様を示す斜視図。
【発明を実施するための形態】
【００１７】
以下、本発明の一実施形態について図１〜図５を参照して説明する。
【００１８】
このノート１は、複数枚の用紙４を重ね合わせてなり複数の綴じ元候補箇所５、６を有したノート本体２と、このノート本体２の綴じ元候補箇所５、６のいずれか一つを選択的に綴じる綴じ要素３とを具備してなる。
【００１９】
ノート本体２は、紙製のものであり、前記用紙４である表表紙２１、裏表紙２２及びそれら表表紙２１と裏表紙２２の内側に配される中紙２３からなる長方形状のものである。前記用紙４は、第一の綴じ元候補箇所５を形成するための長辺４１に沿った折り曲げ線４２と、第二の綴じ元候補箇所６を形成するための短辺４３に沿った折り曲げ線４４とを備えたものである。各用紙４には、長辺４１及び短辺４３に平行な罫線２４が格子状をなすように施されている。
【００２０】
綴じ要素３は、ノート本体２の前記第一の綴じ元候補箇所５または第二の綴じ元候補箇所６を綴じるものである。この綴じ要素３は、前記第一の綴じ元候補箇所５の両端部に形成された対をなす第一の掛け止め部７と、前記第二の綴じ元候補箇所６の両端部に形成された対をなす第二の掛け止め部８と、前記第一の掛け止め部７間または第二の掛け止め部８間に架け渡される弾性帯９とを備えたものである。本実施形態においては、前記第一の掛け止め部７の一方７１と前記第二の掛け止め部８の一方８１とが共通の貫通穴３０により構成されており、この貫通穴３０に環状をなす前記弾性帯９が常時保持されている。前記第一の掛け止め部７の他方７２と前記第二の掛け止め部８の他方８２はそれぞれ、ノート本体２の各用紙４に設けられ前記弾性帯９の幅寸法と略一致する幅寸法を有した四角形状の切り欠きである。第一の掛け止め部７の他方７２は、前記ノート本体２の下縁に設けられており、第二の掛け止め部８の他方８２は前記ノート本体２における第一の綴じ元候補箇所５とは反対側の側縁に設けられている。より具体的には、第一の掛け止め部７は、前記長辺４１に沿った折り曲げ線４２よりも外側、すなわち第一の綴じ元候補箇所５側に形成されており、第二の掛け止め部８は、前記短辺４３に沿った折り曲げ線４４よりも外側、すなわち第二の綴じ元候補箇所６側に形成されている。なお、前記貫通穴３０の周縁には、金属製の留め具が取り付けられている。
【００２１】
本実施形態のノート１は、上述したようなものであるため、描きたいものや描きたいシーンに合わせてノート１の開き方を変えることができる。すなわち、従来のノートのような横開きで使用したい場合には、図２及び図３に示すように、前記綴じ要素３で第一の掛け止め部７を綴じるようにすればよく、一方、縦開きで使用したい場合には、図４及び図５に示すように、前記綴じ要素３で第二の掛け止め部８を綴じるようにすればよい。すなわち、弾性帯９が掛け止めてある第一または第二の掛け止め部７、８の他方７２、８２から弾性帯９の先端９２側を外し、貫通穴３０に弾性帯９の基端９１側を挿通させた状態のまま前記弾性帯９の先端９２側を移動させて、弾性帯９を掛け止めたい第二または第一の掛け止め部７の他方８２、７２に弾性帯９の先端９２側を掛け止めることにより、２箇所に形成された綴じ元候補箇所５、６を選択的に綴じることができる。
【００２２】
以上に述べたように、本実施形態に係るノート１は、複数枚の用紙４を重ね合わせてなり２箇所の綴じ元候補箇所５、６を有したノート本体２と、このノート本体２の綴じ元候補箇所５、６のいずれか一つを選択的に綴じる綴じ要素３とを具備してなるので、綴じ要素３によって綴じられる綴じ元候補箇所５、６を適宜選択することによって、綴じ元２０を所望の箇所に設定できる。そのため、使用態様の自由度を損ねることなく、描きたいものや描きたいシーンに合わせてノート１の開き方を変えることが可能となる。
【００２３】
用紙４が、表紙２１、２２及びそれら表紙２１、２２の内側に配される中紙２３であるので、保管にも適している。特に、本実施形態のように中紙２３に比べて表表紙２１及び裏表紙２２が厚みを有したものであれば、前記綴じ要素３を取り付けたり取り外したりする作業に耐え得る。また、綴じ要素３として本実施形態のような弾性帯９を用いた場合、その弾性力により用紙４を丸めてしまうという不具合の発生を抑制することができる。
【００２４】
本実施形態のノート本体２は、長方形状のものであり、前記用紙４が、第一の綴じ元候補箇所５を形成するための長辺４１に沿った折り曲げ線４２と、第二の綴じ元候補箇所６を形成するための短辺４３に沿った折り曲げ線４４とを備えたものであり、前記綴じ要素３が、前記第一の綴じ元候補箇所５または第二の綴じ元候補箇所６を綴じるものであるので、このノート１は、４種類の使い方をすることができる。すなわち、綴じ要素３を前記第一の綴じ元候補箇所５に綴じた場合には、綴じ元２０を左右方向中央に位置させて上下に幅広な横開きのノート１として用いることができるとともに、この状態から平面視９０度回転させて、綴じ元２０を上下方向中央に位置させて左右に幅広な縦開きのノート１として用いることができ、一方、綴じ要素３を前記第二の綴じ元候補箇所６に綴じた場合には、綴じ元２０を上下方向中央に位置させて左右に幅狭な縦開きのノート１として用いることができるとともに、この状態から平面視９０度回転させて、綴じ元２０を左右方向中央に位置させて上下に幅狭な横開きのノート１として用いることができる。このように、綴じ要素３で綴じる綴じ元候補箇所５、６を２箇所から選択することによって、見開いた状態でのノート１の形状を変えることができる。したがって、このようにノート１の形状を変えることによって、描きたいものや描きたいシーンに合わせることが可能となる。
【００２５】
特に、用紙４が折り曲げ線４２、４４を備えているので、所定の見開き状態に簡単に開くことができる。また、この折り曲げ線４２、４４は、綴じ元候補箇所５、６の内側に形成されているため、この折り曲げ線４２、４４を用紙４に記入する際の目印として用いることもできる。すなわち、用紙４の長辺４１に沿った折り曲げ線４２より内側かつ短辺４３に沿った折り曲げ線４４より内側の領域に記入しておけば、綴じ要素３によって綴じる部分を変更した場合であっても、記入した文字等が綴じ要素３によって隠されてしまうという不具合の発生を防止することができる。
【００２６】
綴じ要素３が、前記第一の綴じ元候補箇所５の両端部に形成された対をなす第一の掛け止め部７と、前記第二の綴じ元候補箇所６の両端部に形成された対をなす第二の掛け止め部８と、前記第一の掛け止め部７間または第二の掛け止め部８間に架け渡される弾性帯９とを備えたものであるので、弾性帯９が前記第一の綴じ元候補箇所５または第二の綴じ元候補箇所６に沿って配され、長辺４１または短辺４３のほぼ全域にわたる綴じ元２０を形成することができる。したがって、綴じ元２０の端部がめくれ上がったりする不具合の発生を抑制することができる。また、綴じ要素３として伸縮可能な弾性帯９を使用しているため、弾性帯９自身が変形することで、長辺４１にも短辺４３にも対応することができる。
【００２７】
本実施形態では、前記第一の掛け止め部７の一方７１と前記第二の掛け止め部８の一方８１とが共通の貫通穴３０により構成されており、この貫通穴３０に環状をなす前記弾性帯９が常時保持されているので、綴じ要素３で綴じる箇所を変更する際にも用紙４がばらばらになってしまうことを抑制できる。すなわち、弾性帯９の先端９２が第一の掛け止め部７の他方７２や第二の掛け止め部８の他方８２から取り外された状態であっても、弾性帯９の基端９１によって全ての用紙４のコーナー部が綴じられているので、弾性帯９の取り付け作業及び取り外し作業を容易に行うことができる。また、本実施形態においては、貫通穴３０の形状が略円形であるため、弾性帯９の先端９２側を第一の掛け止め部７の他方７２と第二の掛け止め部８の他方８２との間で移動させる際に、弾性帯９の基端９１側を貫通穴３０の内周に沿って移動させることができるので、弾性帯９の移動をスムーズに行うことができる。
【００２８】
用紙４が、複数枚の中紙２３を含むものであり、各中紙２３に長辺４１及び短辺４３に平行な罫線２４が格子状をなすように施されているので、横開きした場合にも縦開きした場合にも使いやすいという効果が得られる。すなわち、従来、多くの場合、短辺４３に平行な罫線２４のみが施されているため、この罫線２４によっても使用態様の自由度が損なわれていたが、本実施形態のようなノート１であれば、このような不具合を解消することができる。
【００２９】
なお、本発明は以上に述べた実施形態に限られない。
【００３０】
ノート本体は、表紙を備えないものであってもよい。また、ノート本体の形状は、長方形状に限らず、円形、楕円形、正方形状、その他の多角形状、その他の湾曲部分を含む形状等種々変更可能である。
【００３１】
綴じ元候補箇所は、３箇所以上あってもよい。また、綴じ元候補箇所は、隣接する２辺に限らず種々変更可能であり、例えば、同じ辺上に複数箇所設けている場合や、ノート本体が長方形状である場合の対抗する各長辺や、対抗する各短辺にそれぞれ設けるものであってもよい。
【００３２】
綴じ要素は、上述した掛け止め部と弾性帯とからなるものに限られず、例えば、クリップによって綴じ元候補箇所を綴じるクリップ式のものや、スライダによって綴じ元候補箇所を綴じるスライド式のもの等であってもよい。
【００３３】
また、掛け止め部の場合にも、一方と他方が両方切り込みであってもよく、一方と他方が両方切り込みなしでもよい。後者の場合には、例えば、弾性帯の先端にクリップを付けておく等してノート本体に掛け止めるようにすればよい。
【００３４】
さらに、弾性帯についても、環状のものに限られず種々変更可能である。
【００３５】
その他、本発明の趣旨を損ねない範囲で種々に変更してよい。
【符号の説明】
【００３６】
１…ノート
２…ノート本体
２１、２２…表紙
２３…中紙
２４…罫線
３…綴じ要素
３０…貫通穴
４…用紙
４１…長辺
４２…折り曲げ線
４３…短辺
４４…折り曲げ線
５、６…綴じ元候補箇所
７…第一の掛け止め部
８…第二の掛け止め部
９…弾性帯
【図１】
2013078906.tif 000003
【図２】
2013078906.tif 000004
【図３】
2013078906.tif 000005
【図４】
2013078906.tif 000006
【図５】
2013078906.tif 000007